(57)【要約】【課題】小型の表示画面を持った電子機器においても、必要に応じて大画面での表示が行える電子機器システム、電子機器および着脱式外部表示装置を提供することを目的とする。【解決手段】電子機器システムは情報表示用の表示部を内蔵した電子機器本体１００、１０１と、該表示部より高品質な表示が可能な着脱式の外部表示装置２００、３００からなり、電子機器本体１００、１０１は着脱式の外部表示装置２００、３００を装着するための結合部を備え、該結合部に着脱式の外部表示装置２００、３００が装着された場合は、自動的に該着脱式の外部表示装置２００、３００で情報の表示を行う。【選択図】　図１
2004045913.tif 000002
【特許請求の範囲】
【請求項１】
電子機器と該電子機器に対し着脱可能な着脱式外部表示装置とからなる電子機器システムであって、
前記電子機器は、情報を表示するための本体表示手段と、前記本体表示手段に情報を表示させる表示制御手段と、前記着脱式外部表示装置を機械的かつ電気的に連結するための本体コネクタと、前記本体コネクタを介し前記表示する情報を前記着脱式外部表示装置に伝送する伝送手段とを備え、
前記着脱式外部表示装置は、前記電子機器に機械的かつ電気的に連結するための前記本体コネクタに応じた装置コネクタと、前記伝送手段から伝送された情報を表示するための付属表示手段と、該着脱式外部表示装置の特性情報を出力する出力手段とを備え、
前記電子機器に前記着脱式外部表示装置が装着された場合、前記本体表示手段の表示画面と前記付属表示手段の表示画面が隣接するように構成されるとともに、前記表示制御手段は前記本体表示手段の表示画面と前記付属表示手段の表示画面とにより構成される画面に１つの情報が表示されるように、前記本体表示手段と前記付属表示手段に１つの情報を分割して表示させることを特徴とする電子機器システム。
【請求項２】
請求項１に記載の電子機器システムにおいて、前記電子機器に前記着脱式外部表示装置が装着された場合、隣接する前記本体表示手段の表示画面と前記付属表示手段の表示画面は細長のパノラマ画面を構成するとともに、前記表示手段は前記パノラマ画面にパノラマ画像情報を表示することを特徴とする電子機器システム。
【請求項３】
電子機器と該電子機器に対し着脱可能で異なる特性を有する複数の着脱式外部表示装置とからなる電子機器システムであって、
前記電子機器は、情報を表示するための本体表示手段と、前記本体表示手段に情報を表示させる表示制御手段と、前記着脱式外部表示装置を機械的かつ電気的に連結するための本体コネクタと、装着された着脱式外部表示装置の特性に関する特性情報を入力する情報入力手段と、前記本体コネクタを介し前記表示する情報を前記着脱式外部表示装置に伝送する伝送手段とを備え、
前記着脱式外部表示装置は、前記電子機器に機械的かつ電気的に連結するための前記本体コネクタに応じた装置コネクタと、前記伝送手段から伝送された情報を表示するための付属表示手段と、該着脱式外部表示装置の特性に関する特性情報を出力する出力手段とを備え、
前記表示制御手段は前記入力手段で得られた着脱式外部表示装置の特性情報に応じて、表示すべき情報を前記本体表示手段と前記付属表示手段のどちらで表示させるかを選択することを特徴とする電子機器システム。
【請求項４】
請求項３に記載の電子機器システムにおいて、前記特性情報は前記付属表示手段の表示特性に関する情報であり、表示色、画面サイズ、表示輝度、表示画素ピッチ、表示コントラスト、表示応答性のいずれかに関する情報を含むと共に、前記表示制御手段は前記特性情報に含まれる前記付属表示手段の表示特性が前記本体表示手段の表示特性を上回る場合に、表示すべき情報を前記付属表示手段により表示させることを特徴とする電子機器システム。
【請求項５】
請求項３に記載の電子機器システムにおいて、前記電子機器は本体電源と該電源を制御する電源制御手段を内蔵しているとともに、前記特性情報は前記着脱式外部表示装置が装置電源を内蔵しているかに関する情報であり、前記電源制御手段は前記特性情報に基づき、装着された着脱式外部表示装置が装置電源を内蔵していない場合は装着された着脱式外部表示装置に前記本体電源から電力を供給させることを特徴とする電子機器システム。
【請求項６】
請求項３に記載の電子機器システムにおいて、前記着脱式外部表示装置は装置電源を内蔵しているとともに、前記着脱式外部表示装置が前記電子機器に装着された場合、前記着脱式外部表示装置の装置電源から前記電子機器に電力を供給することを特徴とする電子機器システム。
【請求項７】
請求項３に記載の電子機器システムにおいて、前記着脱式外部表示装置は装置電源と情報を記憶する記憶手段を内蔵しているとともに、前記電子機器に装着されない単独状態で前記記憶手段に記憶された情報を前記付属表示手段に表示可能であることを特徴とする電子機器システム。
【請求項８】
請求項３に記載の電子機器システムにおいて、前記着脱式外部表示装置は情報を表示するための複数の付属表示手段を備えることを特徴とする電子機器システム。
【請求項９】
請求項３に記載の電子機器システムにおいて、前記電子機器は該電子機器の筐体の複数箇所に前記本体コネクタを備えることを特徴とする電子機器システム。
【請求項１０】
請求項３に記載の電子機器システムにおいて、前記着脱式外部表示装置は該着脱式外部表示装置の筐体の複数箇所に前記装置コネクタを備えることを特徴とする電子機器システム。
【請求項１１】
請求項３に記載の電子機器システムにおいて、前記本体コネクタと前記装置コネクタは連結時に、連結状態を維持したまま相対的な位置が可変な機械的構造となっていることを特徴とする電子機器システム。
【請求項１２】
請求項１１に記載の電子機器システムにおいて、前記外部電子機器は前記電子機器との相対的位置関係に応じて、前記付属表示手段で表示する情報の表示方法を変更することを特徴とする電子機器システム。
【請求項１３】
請求項３に記載の電子機器システムにおいて、前記着脱式外部表示装置は前記電子機器を操作するための操作部材を備え、前記着脱式外部表示装置が前記電子機器に装着された場合、前記操作部材により前記電子機器を操作可能であることを特徴とする電子機器システム。
【請求項１４】
請求項３に記載の電子機器システムにおいて、前記電子機器は前記本体コネクタに補助電源装置または補助記憶装置または補助通信装置を装着可能であることを特徴とする電子機器システム。
【請求項１５】
請求項３に記載の電子機器システムにおいて、前記本体表示手段または前記付属表示手段に表示される情報は、静止画像情報または動画像情報またはテキスト情報または地図情報であることを特徴とする電子機器システム。
【請求項１６】
請求項１乃至請求項１５に記載の電子機器システムに用いられる電子機器。
【請求項１７】
請求項１６に記載の電子機器は、電子カメラまたは携帯電話であることを特徴とする電子機器。
【請求項１８】
請求項１乃至請求項１５に記載の電子機器システムに用いられる着脱式外部表示装置。
【発明の詳細な説明】
【０００１】
【発明の属する技術分野】本発明は、情報を表示するための表示部を備えた電子機器システム、電子機器および着脱式外部表示装置に関する。
【０００２】
【従来の技術】携帯電話、ＰＤＡ（Ｐｅｒｓｏｎａｌ　Ｄｉｇｉｔａｌ　Ａｓｓｉｓｔａｎｔ）、電子カメラ等の携帯型の電子機器では、ユーザが必要とする情報（テキスト情報、画像情報等）を電子機器本体に組み込まれたＬＣＤ（液晶表示デバイス）等の電子表示手段により表示している。例えば電子カメラでは、撮影を行う前のスルー画像や撮影済みの画像を液晶画面などで表示している。
【０００３】
【発明が解決しようとする課題】このような携帯型の電子機器においては、ユーザの利便性（収納／運搬などが容易）を図るために電子機器の筐体を小型にする必要があり、その結果必然的に電子機器本体に組み込まれる電子表示手段の表示画面の大きさも制限されていた。一方視力が弱まった年配のユーザからは、情報を見やすくするために大型画面を持つ電子機器が望まれていた。
【０００４】
またこのような携帯型の電子機器においては、小型電池を電源として使用するので、電子機器本体に組み込む電子表示手段としては消費電力の少ないものが選択されていたが、概して消費電力の少なさと表示品質（解像度、輝度、応答速度など）は相反する性能なので、ユーザは高品質な表示が必要な状況においても、低品質な表示で我慢するしかなかった。
【０００５】
またこのような携帯型の電子機器においては、電子機器のコストを押さえるために電子機器本体に組み込む電子表示手段としても比較的低コストのものが選択されていたが、概して電子表示手段のコストと表示品質（解像度、輝度、応答速度など）は相反する性能なので、ユーザは高品質な表示が必要な状況においても、低品質な表示で我慢するしかなかった。
【０００６】
そこで本発明は、低コストの電子表示手段または低消費電力の電子表示手段または小型の表示画面を持った電子機器においても、必要に応じて高品質な表示を行える電子機器システム、電子機器および着脱式外部表示装置を提供することを目的とする。
【０００７】
【課題を解決するための手段】上記目的を達成するため、本発明による電子機器システム、電子機器および着脱式外部表示装置においては、電子機器システムは情報表示用の表示部を内蔵した電子機器本体と、該表示部より高品質な表示が可能な着脱式の外部表示装置からなり、電子機器本体は着脱式の外部表示装置を装着するための結合部を備え、該結合部に着脱式の外部表示装置が装着された場合は、自動的に該着脱式の外部表示装置で情報の表示を行うようにすることを特徴とする。
【０００８】
また本発明による電子機器システム、電子機器および着脱式外部表示装置においては、電子機器システムは情報表示用の表示部を内蔵した電子機器本体と、該表示部と同等な品質な表示が可能な着脱式の外部表示装置からなり、電子機器本体は着脱式の外部表示装置を装着するための結合部を備え、該結合部に着脱式の外部表示装置が装着された場合に電子機器本体に内蔵される表示手段の表示画面と着脱式の外部表示装置の表示画面が１画面を構成するように近接してそれぞれの表示画面が配置されているとともに、電子機器本体への着脱式の外部表示装置の装着時には、該２つの表示画面により構成された一画面に１つの情報を表示することを特徴とする。
【０００９】
【発明の実施の形態】以下、図面を参照して本発明の実施形態について説明する。図１は本発明を適用した電子機器（図１では電子カメラ）および該電子機器に着脱可能な着脱式外部表示装置の組み合わせを説明する図である。複数の電子カメラ１００、１０１にはそれぞれ複数種類の着脱式外部表示装置２００、３００が装着可能となっており、ユーザは使用する電子カメラの種類と撮影状況に応じて、単独で電子カメラを使用するかあるいは複数種類の着脱式外部表示装置の中から用途に応じて適当なものを選択して電子カメラに装着して使用することができる。例えば使用する電子カメラに内蔵されている表示手段の画面が小さく、撮影構図の確認がしにくい場合には、大画面の着脱式外部表示装置を装着して用いる。また使用する電子カメラに内蔵されている表示手段が反射型の表示デバイス（反射型液晶等）を用いており、夜景撮影時に構図の確認がしにくい場合には、自発光型の表示デバイス（有機ＥＬ素子等）を搭載した着脱式外部表示装置を装着して用いる。また使用する電子カメラに内蔵されている表示手段の表示輝度が低く、周囲が高輝度の屋外での撮影時に構図確認がしにくい場合には、高輝度な表示が可能な着脱式外部表示装置を装着して用いる。
【００１０】
図２および図３は、本発明が適用される電子カメラ１００の一実施形態の外観図（正面視および背面視）である。図２に示すように電子カメラ１００の前面には被写体像を形成するための撮影レンズ１０、被写体の明るさを検知するための測光回路１５、前面左側には電子カメラ１００の筐体をホールドし易くするためのグリップ１４が備えられ、上面には撮影を指示するためのレリーズボタン１６、着脱式外部表示装置２００または３００を機械的かつ電気的に装着するためのコネクタ１１が備えられる。電子カメラ１００の正面から見た同じく右側面には着脱式外部表示装置を機械的かつ電気的に装着するためのコネクタ１２が備えられる。
【００１１】
図３に示すように、電子カメラ１００の背面の左上隅にテキストおよび画像表示用の長方形の画面を備えたＬＣＤ（反射型の液晶表示デバイス）２１が配置され、背面の右側に電子カメラ１００の電源ＯＮ／ＯＦＦと動作モード（撮影モードと再生モード）の切換えのために操作されるダイヤル１８と該ダイヤル１８の切換え位置を示すドット２０が配置され、背面の下側には再生画像の切換えに用いられる左方向ボタン２５、右方向ボタン２６が配置される。また背面左下には着脱式外部表示装置を機械的かつ電気的に装着するためのコネクタ１３が備えられる。背面からみて右側の側面には画像データ保存用のメモリカード７７（着脱式記憶媒体）を装着するためのメモリカードスロット３１と電池を収納するための電池スロット３０が備えられる。なおＬＣＤ２１の表示画面のアスペクト比は横：縦がほぼ√２：１となっている。またレリーズボタン１６、ダイヤル１８、左方向ボタン２５、右方向ボタン２６は全てユーザーによって操作される操作キーである。なおコネクタ１１、コネクタ１２、コネクタ１３には電子カメラ１００と着脱式外部装置２００または３００の間で電力供給を行う電源ラインも含まれる。
【００１２】
図４および図５は、本発明が適用される高機能タイプの着脱式外部表示装置２００の一実施形態の外観図（正面視および背面視）である。図４に示すように着脱式外部表示装置２００の前面左側に着脱式外部表示装置２００を単独で画像再生に使用する場合に電源ＯＮ／ＯＦＦと再生モードを切換えるために操作されるダイヤル２１８と該ダイヤル２１８の切換え位置を示すドット２２０が配置され、その下側には着脱式外部表示装置２００の単独使用時において再生画像の切換えに用いられる左方向ボタン２２５、右方向ボタン２２６が配置される。また前面右側には着脱式外部表示装置２００の筐体をホールドし易くするためのグリップ２１４が備えられる。着脱式外部表示装置２００の正面から見た右側面には画像データ保存用のメモリカード２７７（着脱式記憶媒体）を装着するためのメモリカードスロット２３１と電池を収納するための電池スロット２３０が備えられる。
【００１３】
図５に示すように、着脱式外部表示装置２００の背面のほぼ全面にはテキストおよび画像表示用の長方形の画面を備えたＥＬ表示素子（発光型のエレクトロルミネッセンスデバイス）２２１が配置され、背面からみて右側の側面には電子カメラ１００のコネクタ１２に結合し、電子カメラ１００に機械的かつ電気的に装着するためのコネクタ２１２が備えられる。また着脱式外部表示装置２００の下面には電子カメラ１００のコネクタ１１に結合し、電子カメラ１００に機械的かつ電気的に装着するための不図示のコネクタ２１１が備えられる。上面にはコネクタ２１１、２１２のロック部材２１９が設けられ、該ロック部材２１９の押圧操作中のみ電子カメラ１００と着脱式外部表示装置２００との着脱が可能となる。なおＥＬ表示素子２２１の表示画面のアスペクト比は横：縦がほぼ√２：１となっているとともに、ＥＬ表示素子２２１の表示性能（画面サイズ、解像度、コントラスト、応答時間など）はＬＣＤ２１の表示性能を上回っている。またダイヤル２１８、左方向ボタン２２５、右方向ボタン２２６は全てユーザーによって操作される操作キーである。また着脱式外部表示装置２００は電子カメラ１００に装着時にも電力供給を電子カメラ１００から受けずに、電池スロット２３０に収納した電池により電力を賄う。
【００１４】
図６および図７は、本発明が適用されるノーマルタイプの着脱式外部表示装置３００の一実施形態の外観図（正面視および背面視）である。ノーマルタイプの着脱式外部表示装置３００はメモリカードスロットや電池スロットを持たないので単独使用ができず、電子カメラ１００に装着時に電子カメラ１００から電力の供給を受ける。図６に示すように着脱式外部表示装置３００の筐体は電子カメラ１００の筐体より小型である。図７に示すように、着脱式外部表示装置３００の背面のほぼ全面にはテキストおよび画像表示用の長方形の画面を備えたＬＣＤ（反射型の液晶表示デバイス）３２１が配置され、背面からみて右側の側面には電子カメラ１００のコネクタ１２に結合し、電子カメラ１００に機械的かつ電気的に装着するためのコネクタ３１２が備えられる。また着脱式外部表示装置３００の下面には電子カメラ１００のコネクタ１１に結合し、電子カメラ１００に機械的かつ電気的に装着するための不図示のコネクタ３１１が備えられる。上面にはコネクタ３１１、３１２のロック部材３１９が設けられ、該ロック部材３１９の押圧操作中のみ電子カメラ１００と着脱式外部表示装置３００との着脱が可能となる。なおＬＣＤ３２１の表示画面のアスペクト比は横：縦がほぼ√２：１となっているとともに、画面サイズはＬＣＤ２１と同一であり、その他の表示性能（画面サイズ、解像度、コントラスト、応答時間など）はＬＣＤ２１の表示性能と同等となっている。
【００１５】
図８および図９は、電子カメラ１００に高機能タイプの着脱式外部表示装置２００を装着した場合（コネクタ１２とコネクタ２１２を結合）の正面視および背面視の状態を示す図である。図８に示すように、電子カメラ１００の側面に高機能タイプの着脱式外部表示装置２００が配置し全体として横長となるが、ユーザはグリップ１４とグリップ２１４を掴んで使用することにより安定した操作が可能になる。図９に示すように電子カメラ１００に高機能タイプの着脱式外部表示装置２００を装着した場合は、電子カメラ１００の撮影モード時のスルー画像および再生モード時の再生画像は着脱式外部表示装置２００のＥＬ表示素子２２１に表示される。
【００１６】
図１０および図１１は、電子カメラ１００にノーマルタイプの着脱式外部表示装置３００を装着した場合（コネクタ１２とコネクタ３１２を結合）の正面視および背面視の状態を示す図である。図１０に示すように、電子カメラ１００の側面に着脱式外部表示装置３００が配置し全体として横長となる。図１１に示すように電子カメラ１００の側面にノーマルタイプの着脱式外部表示装置３００を装着した場合は、電子カメラ１００の背面左上隅に配置されたＬＣＤ２１の画面と着脱式外部表示装置３００のＬＣＤ３２１の画面がわずかな隙間を隔てて横並びとなり、２つの画面は１つの横長画面を構成する。電子カメラ１００はこのような状態となった場合はパノラマ用の撮影モード時となり、構図設定の際には横長のパノラマスルー画像がＬＣＤ２１とＬＣＤ３２１により構成された一つの画面に表示される。
【００１７】
図１２および図１３は、電子カメラ１００にノーマルタイプの着脱式外部表示装置３００を装着した場合（コネクタ１１とコネクタ３１１を結合）の正面視および背面視の状態を示す図である。図１１に示すように、電子カメラ１００の側面に着脱式外部表示装置３００が配置し全体として縦長となる。図１２に示すように電子カメラ１００の上部にノーマルタイプの着脱式外部表示装置３００を装着した場合は、電子カメラ１００の背面左上隅に配置されたＬＣＤ２１の画面と着脱式外部表示装置３００のＬＣＤ３２１の画面がわずかな隙間を隔てて縦並びとなり、２つの画面は１つの縦長画面を構成する。該縦長画面のアスペクト比は横：縦が１：√２となり、画面サイズはＬＣＤ２１、ＬＣＤ３２１の２倍となる。従ってポートレートなどの縦位置撮影に適した画面となる。電子カメラ１００はこのような状態となった場合は縦位置用の撮影モードとなり、構図設定の際には縦長のスルー画像がＬＣＤ２１とＬＣＤ３２１により構成された一つの画面に表示される。
【００１８】
図１４は、図２および図３に示した電子カメラ１００の内部の電気構成例を示すブロック図であって、各構成要素は各種情報データおよび制御データを伝送するためのデータ／制御バス５１を介して互いに接続されている。データ／制御バス５１はコネクタ１１、コネクタ１２、コネクタ１３を経由して着脱式外部表示装置のデータ／制御バスに繋がる。電子カメラ１００は、画像データの撮影動作を実行する撮影制御回路６０を中心とするブロック、画像ファイルを記憶・保存するメモリカード７７のブロック、画像データおよびその関連情報の表示を実行する画面制御回路９２を中心とするブロック、操作キー６５等のユーザーインターフェースと各制御回路に対する統括制御を行うＣＰＵ５０（中央処理ユニット）を中心とするブロック、各ブロックに電源を供給する電源制御回路６４を中心とするブロックなどから構成される。
【００１９】
電子カメラ１００の電源は電池６３であり、ＣＰＵ５０はダイヤル１８の操作状態に応じて電源制御回路６４を制御する。ＣＰＵ５０は電子カメラ１００全体の制御を行う手段であって、操作キー６５、タイマ７４、着脱検知ＳＷ８０、測光回路１５などからの入力情報に応じて撮影制御回路６０、画面制御回路９２、電源制御回路６４などへの各種指示を行う。着脱検知ＳＷ８０はコネクタ１１またはコネクタ１２またはコネクタ１３に着脱式外部表示装置が装着されているか否かを検出するスイッチである。測光回路１５は被写体の輝度を測定し、その測定結果である測光データをＣＰＵ５０に出力する。ＣＰＵ５０は測光データに応じて、ＣＣＤ５５の露光時間、感度をＣＣＤ駆動回路５６により設定するとともに、該設定データに応じて撮影制御回路６０を介し絞り５３の絞り値を絞り制御回路５４により制御する。
【００２０】
ＣＰＵ５０は撮影モードではレリーズボタン１６の操作に応じて撮影制御回路６０を介し撮影動作を制御する。タイマ７４は時計回路を内蔵し、現在の日時に対応する日時情報を検出し、撮影時に撮影日時情報をＣＰＵ５０に供給する。ＣＰＵ５０は、ＲＯＭ６７（リードオンリメモリ）に記憶されている制御プログラムに従い各部を制御する。ＥＥＰＲＯＭ６８（電気的消去書き込み可能ＲＯＭ）は不揮発性のメモリであって、電子カメラ１００の動作に必要な設定情報等を記憶している。ＲＡＭ７０は揮発性のメモリであって、ＣＰＵ５０の一時的作業領域として用いられる。
【００２１】
撮影制御回路６０は、レンズ駆動回路５２により撮影レンズ１０のフォーカシング、ズーミングを行い、絞り制御回路５４により絞り５３を制御してＣＣＤ５５の露光量をコントロールし、ＣＣＤ駆動回路５６によりＣＣＤ５５の動作を制御する。被写体からの光束は撮影レンズ１０により光量調節のための絞り５３を介し、ＣＣＤ５５上に被写体像として形成され、この被写体像はＣＣＤ５５により撮像される。複数の画素を備えたＣＣＤ５５（チャージカップルドデバイス）は被写体像を撮像するための電荷蓄積型イメージセンサーであり、ＣＣＤ５５上に形成された被写体像の強度に応じた電気的な画像信号をＣＣＤ駆動回路５６により供給される駆動パルスに応じてアナログ処理部５７に出力する。　アナログ処理部５７はＣＣＤ５５が光電変換した画像信号を所定のタイミングでサンプリングし、そのサンプリングした信号を所定のレベルに増幅する。Ａ／Ｄ変換回路５８（アナログデジタル変換回路）はアナログ処理部５７でサンプリングした画像信号をデジタル化することによりデジタルデータに変換し、撮影バッファメモリ５９は該デジタルデータを一旦格納する。
【００２２】
撮影制御回路６０は撮影モード中上述の動作を繰り返すとともに、画面制御回路９２はデータ／制御バス５１を介して撮影バッファメモリ５９に順次格納されるデジタルデータを読み出してフレームメモリ６９に一旦格納し、該デジタルデータを表示用画像データに変換してフレームメモリ６９に再格納し、該表示用画像データをＬＣＤ２１に表示させるというスルー画像表示動作を繰り返す。また画面制御回路９２は必要に応じてテキスト表示情報をＣＰＵ５０から入手し、表示用テキストデータに変換してフレームメモリ６９に格納し、該表示用テキストデータをＬＣＤ２１に表示させる。撮影制御回路６０は撮影バッファメモリ５９に格納したデジタルデータの高周波成分の度合い解析して撮影レンズ１０の焦点調節状態を検出し、検出結果に応じてレンズ駆動回路５２により撮影レンズ１０の焦点調節を行う。
【００２３】
レリーズ時に撮影制御回路６０はＣＰＵ５０から撮影指示を受けると、ＣＣＤ駆動回路５６を介してＣＣＤ５５により被写体像を撮像させ、撮像により生成した画像信号をアナログ処理部５７、Ａ／Ｄ変換回路５８を介して撮影バッファメモリ５９にデジタルデータ（生データ）として一旦格納する。撮影制御回路６０は撮影バッファメモリ５９に一旦格納したデジタルデータを所定の記録フォーマット（ＪＰＥＧなど）に変換または圧縮して画像データを形成する。ＣＰＵ５０は該画像データに所定の付加情報データを付加して画像ファイルを生成しメモリカード７７に保存する。
【００２４】
再生モードにおいては、ＣＰＵ５０はメモリカード７７に保存した画像ファイルを読み出し、画像データをフレームメモリ６９に一旦格納し、画面制御回路９２により該画像データをＬＣＤ２１に表示させる。なおＣＰＵ５０は電子カメラ１００に着脱式外部表示装置２００または３００が装着されていた場合には、データ／制御バス５１を介して画像データを着脱式外部表示装置２００または３００に伝送し、着脱式外部表示装置２００または３００側の画面に表示させる。またＣＣＤ５５はほぼ正方形の受光部を備えており、正方形の画面に対応する画像データを生成するが、ＣＰＵ５０は状況に応じてこの画像データの中から表示画面のアスペクト比に対応した画像データを切り出して表示画面に表示させる。
【００２５】
図１５は、図４および図５に示した着脱式外部表示装置２００の内部の電気構成例を示すブロック図であって、各構成要素は各種情報データおよび制御データを伝送するためのデータ／制御バス２５１を介して互いに接続されている。データ／制御バス２５１はコネクタ２１１、コネクタ２１２を経由して電子カメラのデータ／制御バスに繋がる。着脱式外部表示装置２００は、画像ファイルを記憶・保存するメモリカード２７７のブロック、画像データおよびその関連情報の表示を実行する画面制御回路２９２を中心とするブロック、操作キー２６５等のユーザーインターフェースと各制御回路に対する統括制御を行うＣＰＵ２５０（中央処理ユニット）を中心とするブロック、各ブロックに電源を供給する電源制御回路２６４を中心とするブロックなどから構成される。
【００２６】
着脱式外部表示装置２００の電源は電池２６３であり、ＣＰＵ２５０はダイヤル２１８の操作状態に応じて電源制御回路２６４を制御する。ＣＰＵ２５０は着脱式外部表示装置２００全体の制御を行う手段であって、操作キー２６５、着脱検知ＳＷ２８０などからの入力情報に応じて画面制御回路２９２、電源制御回路２６４などへの各種指示を行う。着脱検知ＳＷ２８０はコネクタ２１１またはコネクタ２１２が電子カメラに装着されているか否かを検出するスイッチである。
【００２７】
ＣＰＵ２５０は、ＲＯＭ２６７（リードオンリメモリ）に記憶されている制御プログラムに従い各部を制御する。ＥＥＰＲＯＭ２６８（電気的消去書き込み可能ＲＯＭ）は不揮発性のメモリであって、着脱式外部表示装置２００の動作に必要な設定情報等を記憶している。ＲＡＭ２７０は揮発性のメモリであって、ＣＰＵ２５０の一時的作業領域として用いられる。
【００２８】
着脱式外部表示装置２００の単独使用時（再生モード）においては、ＣＰＵ２５０はメモリカード２７７に保存した画像ファイルを読み出し、画像データをフレームメモリ２６９に一旦格納し、画面制御回路２９２により該画像データをＥＬ表示素子２２１に表示させる。なおＣＰＵ２５０は着脱式外部表示装置２００が電子カメラに装着されている場合には、データ／制御バス２５１を介し電子カメラから伝送された画像データを画面制御回路２９２によりＥＬ表示素子２２１に表示させる。
【００２９】
図１６は、図６および図７に示した着脱式外部表示装置３００の内部の電気構成例を示すブロック図であって、各構成要素は各種情報データおよび制御データを伝送するためのデータ／制御バス３５１を介して互いに接続されている。データ／制御バス３５１はコネクタ３１１、コネクタ３１２を経由して電子カメラのデータ／制御バスに繋がる。着脱式外部表示装置３００は、画像データおよびその関連情報の表示を実行する画面制御回路３９２を中心とするブロック、各制御回路に対する統括制御を行うＣＰＵ３５０（中央処理ユニット）を中心とするブロックなどから構成される。着脱式外部表示装置３００の電力は電子カメラ１００からコネクタ３１１またはコネクタ３１２を経由して供給される。ＣＰＵ３５０は着脱式外部表示装置３００全体の制御を行う手段であって、着脱検知ＳＷ３８０からの入力情報に応じて画面制御回路２９２への各種指示を行う。着脱検知ＳＷ３８０はコネクタ３１１またはコネクタ３１２が電子カメラに装着されているか否かを検出するスイッチである。ＣＰＵ３５０は、ＲＯＭ３６７（リードオンリメモリ）に記憶されている制御プログラムに従い各部を制御する。ＥＥＰＲＯＭ３６８（電気的消去書き込み可能ＲＯＭ）は不揮発性のメモリであって、着脱式外部表示装置３００の動作に必要な設定情報等を記憶している。ＲＡＭ３７０は揮発性のメモリであって、ＣＰＵ３５０の一時的作業領域として用いられる。着脱式外部表示装置３００の単独使用はできず、電子カメラに装着された場合にのみ、データ／制御バス３５１を介し電子カメラから伝送された画像データを画面制御回路３９２によりＬＣＤ３２１に表示させる。
【００３０】
図１７は上記実施形態における電子カメラ１００（ＣＰＵ５０）の動作のメインフローチャートであり、Ｓ１０でダイヤル１８の操作によりスタートすると、Ｓ１１でダイヤル１８が撮影モードに設定されているかチェックし、撮影モードに設定されている場合はＳ２０の撮影モードのサブルーチンを実行し、Ｓ１１に戻る。撮影モードに設定されていない場合はＳ１２でダイヤル１８が再生モードに設定されているかチェックし、再生モードに設定されている場合はＳ３０の再生モードサブルーチンが実行され、Ｓ１１に戻る。再生モードに設定されていない場合即ち電源ＯＦＦに設定された場合はＳ１３で電源をＯＦＦする。
【００３１】
図１８は上記実施形態における電子カメラ１００の電源ＯＮ時および電子カメラ１００に対する外部表示装置の着脱時に起動される着脱割込み処理サブルーチンの詳細フローチャートであって、Ｓ１００で着脱検知ＳＷ８０の信号および電源ＯＮにより起動すると、Ｓ１０１で着脱検知ＳＷ８０の信号により外部表示装置が装着されているのか脱着されているのかをチェックし、脱着されている場合はＳ１０２で外部表示装置が装着されていたコネクタを介しての外部表示装置への電力供給を停止し、Ｓ１０５でリターンする。外部表示装置が装着されている場合は、Ｓ１０３で装着されている外部表示装置がノーマルタイプかチェックし、ノーマルタイプでない高機能タイプの外部表示装置である場合は電源を内蔵しており、コネクタを介しての外部表示装置への電力供給は不要なのでＳ１０５でリターンする。装着された外部表示装置がノーマルタイプである場合は、電源を内蔵していないので、Ｓ１０４でコネクタを介しての外部表示装置への電力供給を開始し、Ｓ１０５でリターンする。なおＳ１０３における外部表示装置のタイプの識別は、外部表示装置側のコネクタ形状や電気的構成をタイプ別に異ならせておくことにより、電子カメラ１００側の着脱検知ＳＷ８０により行われる。
【００３２】
図１９は撮影モードサブルーチンの詳細フローチャートであって、Ｓ２０で起動すると、Ｓ２０１で着脱式外部表示装置が装着されているかチェックし、装着されていない場合はＳ２０２で図３に示すようにスルー画像データを内蔵ディスプレイ（ＬＣＤ２１）に表示し、Ｓ２０８に進む。装着されている場合は、Ｓ２０３で装着された着脱式外部表示装置が高機能タイプかチェックする。なおこのチェックは電子カメラのＣＰＵ５０が着脱式外部表示装置のＣＰＵと通信することによって得られる情報に基づいて行われる。高機能タイプの着脱式外部表示装置が装着されている場合は、Ｓ２０４で図９に示すようにスルー画像データを該高機能タイプの着脱式外部表示装置の表示画面に表示させ、内蔵ディスプレイ（ＬＣＤ２１）の表示を行わないでＳ２０８に進む。高機能タイプの着脱式外部表示装置が装着されていない場合は、Ｓ２０５でノーマルタイプの着脱式外部表示装置がコネクタ１２（側面）に装着されているかチェックする。なおこのチェックは着脱検知ＳＷ８０により行われる。ノーマルタイプの着脱式外部表示装置がコネクタ１２（側面）に装着されている場合は、Ｓ２０６でＣＣＤ５５により出力されるスルー画像データの中からパノラマ画像のアスペクト比の画像データを抽出し、該画像データの右半分の画像データを電子カメラ１００の内蔵ＬＣＤ２１の表示画面で表示させ、残りの左半分の画像データを着脱式外部表示装置のＬＣＤ３２１の表示画面で表示させることにより、図１１に示すようなパノラマ画像を表示しＳ２０８に進む。Ｓ２０６のチェックで、ノーマルタイプの着脱式外部表示装置がコネクタ１１（上面）に装着されている場合は、Ｓ２０７でＣＣＤ５５により出力されるスルー画像データの中から縦位置撮影のアスペクト比（縦長）の画像データを抽出し、該画像データの下半分の画像データを電子カメラ１００の内蔵ＬＣＤ２１の表示画面で表示させ、残りの上半分の画像データを着脱式外部表示装置のＬＣＤ３２１の表示画面で表示させることにより、図１３に示すような縦位置撮影画像を表示しＳ２０８に進む。
【００３３】
Ｓ２０８でレリーズボタン１６が操作されたかチェックし、操作されていない場合はそのままＳ２１０でリターンし、操作された場合はＳ２０９で画像データをメモリカード７７に保存してからＳ２１０でリターンする。この時画像データにタイマ７４による撮影日時データが付加される。以上のようにして撮影モードにおいては、電子カメラ１００への着脱式外部表示装置の装着状況に応じてスルー画像を電子カメラ１００の表示画面または着脱式外部表示装置側の表示画面に表示するとともに、レリーズボタン操作に応じて画像データを記録する。
【００３４】
図２０は再生モードサブルーチンの詳細フローチャートであって、Ｓ３０で起動すると、Ｓ３０１でメモリカード７７が装着されているかチェックし、装着されていない場合は画像再生ができないのでＳ３１３でリターンする。装着されている場合は、Ｓ３０２で現在再生モードにおける画像データの再生中であるかチェックし、画像データの再生中でない場合は、Ｓ３０３で初期状態としてメモリカード７７に格納されている最新の画像データ（撮影日時データが最も新しい画像データ）を再生画像データとして指定しＳ３０６に進む。画像データの再生中である場合は、Ｓ３０４で左ボタン２５または右ボタン２６が操作されたかチェックし、操作されていない場合は再生している画像データを変更する必要がないのでＳ３１３でリターンする。操作された場合は、Ｓ３０５で操作されたボタンに応じて再生画像データを指定しＳ３０６に進む。即ち左ボタン２５が操作された場合は、現在再生中の画像データより撮影日時データの順番が一つ古い画像データが再生画像データとして指定され、右ボタン２６が操作された場合は、現在再生中の画像データより撮影日時データの順番が一つ新しい画像データが再生画像データとして指定される。
【００３５】
Ｓ３０６で着脱式外部表示装置が装着されているかチェックし、装着されていない場合はＳ３０７で指定された再生画像データをメモリカード７７から読出して内蔵ディスプレイ（ＬＣＤ２１）に表示し、Ｓ３１３でリターンする。装着されている場合は、Ｓ３０８で装着された着脱式外部表示装置が高機能タイプかチェックし、高機能タイプの着脱式外部表示装置が装着されている場合は、Ｓ３０９で指定された再生画像データをメモリカード７７から読出して該高機能タイプの着脱式外部表示装置の表示画面に表示させ、内蔵ディスプレイ（ＬＣＤ２１）の表示を消してＳ３１３でリターンする。高機能タイプの着脱式外部表示装置が装着されていない場合は、Ｓ３１０でノーマルタイプの着脱式外部表示装置がコネクタ１２（側面）に装着されているかチェックし、ノーマルタイプの着脱式外部表示装置がコネクタ１２（側面）に装着されている場合は、Ｓ３１１で指定された再生画像データをメモリカード７７から読出し、該画像データの中からパノラマ画像のアスペクト比の画像データを抽出し、該画像データの右半分の画像データを電子カメラ１００の内蔵ＬＣＤ２１の表示画面で表示させ、残りの左半分の画像データを着脱式外部表示装置のＬＣＤ３２１の表示画面で表示させることにより、パノラマ画像を表示しＳ３１３でリターンする。ノーマルタイプの着脱式外部表示装置がコネクタ１１（上面）に装着されている場合は、Ｓ３１２で指定された再生画像データをメモリカード７７から読出し、該画像データの中から縦位置撮影のアスペクト比（縦長）の画像データを抽出し、該画像データの下半分の画像データを電子カメラ１００の内蔵ＬＣＤ２１の表示画面で表示させ、残りの上半分の画像データを着脱式外部表示装置のＬＣＤ３２１の表示画面で表示させることにより、縦位置撮影画像を表示しＳ３１３でリターンする。
【００３６】
図２１は上記実施形態における高機能タイプの着脱式外部表示装置２００（ＣＰＵ２５０）の動作のメインフローチャートであり、Ｓ４０でダイヤル２１８の操作または電子カメラ１００への装着による電源ＯＮによりスタートすると、Ｓ４０１で電子カメラに装着されているかチェックする。なおこのチェックは高機能タイプの着脱式外部表示装置２００のＣＰＵ２５０が電子カメラのＣＰＵと通信することによって得られる情報に基づいて行われる。電子カメラに装着されている場合はＳ４０２で外部コントロールモードとなり、Ｓ４０１に戻る。従って電子カメラへの装着時には、着脱式外部表示装置２００への電力供給自体は着脱式外部表示装置２００に内蔵した電池２６３により行われるが、電源ＯＮ／ＯＦＦの制御はダイヤル２１８の操作状態によらず電子カメラにより制御される。外部コントロールモード中は電子カメラから伝送される画像データをＥＬ表示素子に表示する。
【００３７】
Ｓ４０１で電子カメラに装着されていない場合は、Ｓ４０３でダイヤル２１８が電源ＯＦＦに設定されているかチェックし、電源ＯＦＦに設定されている場合は、Ｓ４０４で電源をＯＦＦする。電源ＯＦＦに設定されていない場合はＳ４０５でメモリカード２７７が装着されているかチェックし、装着されていない場合は画像再生ができないのでＳ４０１に戻る。装着されている場合は、Ｓ４０６で現在画像データの再生中であるかチェックし、画像データの再生中でない場合は、初期状態としてメモリカード２７７に格納されている最新の画像データ（撮影日時データが最も新しい画像データ）を再生画像データとして指定しＳ４１０に進む。画像データの再生中である場合は、Ｓ４０８で左ボタン２２５または右ボタン２２６が操作されたかチェックし、操作されていない場合は再生している画像データを変更する必要がないのでＳ４０１に戻る。操作された場合は、Ｓ４０９で操作されたボタンに応じて再生画像データを指定しＳ４１０に進む。即ち左ボタン２２５が操作された場合は、現在再生中の画像データより撮影日時データの順番が一つ古い画像データが再生画像データとして指定され、右ボタン２２６が操作された場合は、現在再生中の画像データより撮影日時データの順番が一つ新しい画像データが再生画像データとして指定される。Ｓ４１０で指定された再生画像データをメモリカード２７７から読出してＥＬ表示素子２２１に表示しＳ４０１に戻る。
【００３８】
図２２は上記実施形態におけるノーマルタイプの着脱式外部表示装置３００（ＣＰＵ３５０）の動作のメインフローチャートであり、Ｓ５０で電子カメラへの装着により電力が供給されスタートすると、Ｓ５０１で電子カメラに装着されているかチェックする。なおこのチェックはノーマルタイプの着脱式外部表示装置３００のＣＰＵ３５０が電子カメラのＣＰＵと通信することによって得られる情報に基づいて行われる。電子カメラに装着されている場合はＳ５０２で外部コントロールモードとなり、Ｓ５０１に戻る。従って電子カメラへの装着時には、着脱式外部表示装置３００への電力供給は電子カメラにより行われ、電源のＯＮ／ＯＦＦの制御は電子カメラのダイヤルの操作状態により制御される。外部コントロールモード中は電子カメラから伝送される画像データをＬＣＤ３２１に表示する。
【００３９】
上記実施形態（図１〜図２２）においては、高品質な表示が可能な着脱式の外部表示装置２００を電子カメラ１００に装着したことを電子カメラ１００が検知し、自動的に表示すべき情報を着脱式の外部表示装置２００側のＥＬ表示素子２２１により表示するようにしたため、ユーザは携帯性が必要とされるスナップ撮影のような場合には電子カメラ１００を単独で使用し、電子カメラ１００に組み込まれたＬＣＤ２１により画像を確認できるとともに、夜景撮影や風景撮影のような場合には必要に応じて着脱式の外部表示装置２００を電子カメラ１００に装着するだけで、手間なく高品質な表示（高精細、高輝度、大画面、高応答性、高コントラスト）で画像を確認することができる。
【００４０】
上記実施形態（図１〜図２２）においては、着脱式の外部表示装置２００は電池とメモリカードスロットを備えているため、ユーザは電子カメラ１００で撮影した画像情報をメモリカードに格納するとともに、該メモリカードを外部表示装置２００に装着することで、外部表示装置２００単独で高品質な表示（高精細、高輝度、大画面、高応答性、高コントラスト）で画像を再生・閲覧することができる。
【００４１】
上記実施形態（図１〜図２２）においては、高機能タイプの着脱式の外部表示装置２００は電池を内蔵しているため、ユーザは高機能タイプの着脱式の外部表示装置２００で消費電力が大きな高品質表示を行う場合でも、電子カメラ１００側の電池の消耗に気を使う必要がない。
【００４２】
上記実施形態（図１〜図２２）においては、高機能タイプの着脱式の外部表示装置２００にはグリップ２１４が備えられているため、ユーザは高機能タイプの着脱式の外部表示装置２００を電子カメラ１００に装着して使用する際、電子カメラ１００＋外部表示装置２００のサイズが大きくなった場合にも、電子カメラ１００側のグリップ１４と外部表示装置２００側のグリップ２１４を両手でホールドすることにより、手ブレのない撮影を行うことができる。
【００４３】
上記実施形態（図１〜図２２）においては、電子カメラ１００に内蔵されているＬＣＤ２１と同等な表示（表示画素ピッチ、表示輝度、画面サイズ、応答性、コントラスト）が可能なＬＣＤ３２１を備えた着脱式の外部表示装置３００を電子カメラ１００に装着し、装着時に隣接する２つの画面（ＬＣＤ２１、ＬＣＤ３２１）により１つの表示画面を構成し、該合成された表示画面に画像を表示するようにしたため、ユーザは携帯性が必要とされるスナップ撮影のような場合には電子カメラ１００を単独で使用し、電子カメラ１００に組み込まれたＬＣＤ２１により画像を確認できるとともに、風景撮影のような場合には必要に応じて着脱式の外部表示装置３００を電子カメラ１００に装着するだけで、手間なく大画面で画像を確認することができる。なお電子カメラ１００のＬＣＤ２１と外部表示装置３００のＬＣＤ３２１の画面アスペクト比（縦：横）をほぼ１：√２としたため、２つの画面を縦に隣接させた場合の合成画面のアスペクト比（縦：横）もほぼ√２：１となり、合成画面を元の画面と縦位置撮影用の画面として用いることもできる。
【００４４】
上記実施形態（図１〜図２２）においては、電子カメラ１００に内蔵されているＬＣＤ２１と同等な表示（表示画素ピッチ、表示輝度、画面サイズ、応答性、コントラスト）が可能なＬＣＤ３２１を備えた着脱式の外部表示装置３００を電子カメラ１００の側面に装着したことを電子カメラ１００が検知し、電子カメラ１００は自動的にパノラマ撮影モードとなり、隣接する２つの画面（ＬＣＤ２１、ＬＣＤ３２１）により構成された１つの細長の表示画面によりパノラマ画像を表示するようにしたため、ユーザは携帯性が必要とされるスナップ撮影のような場合には電子カメラ１００を単独で使用し、電子カメラ１００に組み込まれたＬＣＤ２１により画像を確認できるとともに、パノラマ撮影の場合には着脱式の外部表示装置３００を電子カメラ１００に装着するだけで、手間なくパノラマ撮影モードに電子カメラ１００を設定するとともに、パノラマ撮影に適した細長画面で画像を確認することができる。
【００４５】
上記実施形態（図１〜図２２）においては、電子カメラ１００は筐体の複数の位置に外部表示装置を装着するためのコネクタを備えるとともに、外部表示装置２００および外部表示装置３００も筐体の複数の位置に電子カメラを装着するためのコネクタを備えるために、ユーザは必要に応じて所望の位置のコネクタ同士で互いに装着することにより、所望の画面構成（縦位置／横位置、横長／縦長等）を選択することができるとともに、電子カメラに対して自分の好みの位置で画像を表示させたり、電子カメラに外部表示装置を装着して使用する場合に、自分の好みの装置形態（重量バランス、横長構成／縦長構成）を選択することができる。
（変形形態の説明）本発明は以上説明した実施形態に限定されることなく、種々の変形や変更が可能である。
【００４６】
上記実施形態（図１〜図２２）においては、電子カメラ１００に着脱式外部表示装置を装着した際に、電子カメラ１００と着脱式外部表示装置の相対的位置関係は固定されているが、コネクタの機構を工夫することにより、電子カメラ１００と着脱式外部表示装置の相対的位置関係をフレキシブルにし、ユーザの使い勝手を向上させることができる。例えば図２３に示すように、コネクタの機構を回転機構（スイバル機構）とすることにより、電子カメラ１００に対し外部表示装置２００を回転軸２０１の周りに回転させて使用することができる。また例えば図２４に示すように、コネクタの機構をヒンジ機構とすることにより、電子カメラ１００に対し外部表示装置２００を回転軸２０２の周りに回転させて使用することができる。また電子カメラ１００の背面に外部表示装置２００の背面（ＥＬ表示素子３２１のある面）を重ね合わせるまで回転できるように構成しておけば、ＬＣＤ２１とＥＬ表示素子２２１の表示画面を外部から守り、コンパクトに収納することができる。また更にコネクタの機構をユニバーサルジョイントのような構成にすれば、撮影方向に関わらず自分に見やすい方向で画像を確認することができる。
【００４７】
上記実施形態（図１〜図２２）においては、電子カメラ１００に着脱式外部表示装置を装着した際に、電子カメラ１００は着脱式外部表示装置に関する情報（電源有無、タイプ）を着脱検知ＳＷ８０および電子カメラ１００のＣＰＵ５０と外部表示装置側のＣＰＵとの通信により取得しているが、どちらか一方のみで行うようにしても構わない。また電子カメラ１００には高機能タイプとノーマルタイプの外部表示装置が装着されるものとして説明したが、これ以外のタイプの外部表示装置をカメラ１００に装着することも可能である。この場合電子カメラ１００は装着された外部表示装置に関する詳細な情報（消費電力、電源の有無、表示画素ピッチ、表示画面サイズ、表示画面の形状、応答性能、コントラスト性能、輝度性能、表示素子種類等）を取得し、該情報を電子カメラ１００自身の情報（画像情報、撮影状況、電源供給能力、電源残量、表示画素ピッチ、表示画面サイズ、表示画面の形状、応答性能、コントラスト性能、輝度性能、表示素子種類等）と比較し、比較結果に応じて装着された外部表示装置への電源供給や表示制御を自動的かつ最適に行う。このようにすれば、ユーザは電子カメラ１００に装着した外部表示装置の性能に応じて電子カメラ１００の設定を行うような手間が省けるとともに、装着後すぐに外部表示装置で画像を確認することができる。
【００４８】
また上記実施形態（図１〜図２２）においては、電子カメラ１００に高機能タイプ（ＥＬ表示素子）の外部表示装置２００が装着された場合は、常に高機能タイプの外部表示装置２００で画像を表示するようにしているが、電子カメラ１００は測光回路１５により測定された周囲輝度が所定値以下の低輝度であった場合のみ高機能タイプの外部表示装置２００で画像を表示するようにしてもよい。また例えば電子カメラ１００に組み込まれた表示素子より表示画素ピッチの細かい高精細タイプの外部表示装置が電子カメラ１００に装着されたことを検知し、画像データの画素数が所定値以上の場合のみ高精細タイプの外部表示装置で画像を表示するようにしてもよい。あるいは電子カメラ１００は画像データの周波数分析を行い、高周波成分が所定値以上ある場合のみ高精細タイプの外部表示装置で画像を表示するようにしてもよい。このようにすれば、ユーザは電子カメラ１００に外部表示装置を装着して使用する場合、撮影状況や画像特性に応じて電子カメラ１００の設定を行うような手間が省けるとともに、電池消耗を軽減できる。
【００４９】
上記実施形態（図１〜図２２）においては、外部表示装置２００および外部表示装置３００は１つの表示画面しか備えていないが、複数の表示画面を備えるようにしてもよい。例えば図２５に示すように外部表示装置３００の前面にＬＣＤ３２２を備えるようにすれば、被写体側からも撮影される画像を確認できるので、被写体となる人物がこの画像を見ながら好みのポーズをしたり、セルフタイマ撮影時に構図を確認することができる。また外部表示装置３００がＬＣＤ３２１とＬＣＤ３２２を備える代わりに、図２３のような機構で外部表示装置３００が電子カメラ１００に対して回転可能となっており、ＣＰＵ３５０が着脱検知ＳＷ３８０により回転角を検知し、ＬＣＤ３２１が被写体方向に回転され向けられた場合には、ＬＣＤ３２１に画像の上下方向を逆にして表示することにより、被写体側から見て画像が正常に見えるようにすることができる。このようにすれば、外部表示装置３００が２つのＬＣＤを備える必要がないので、外部表示装置３００を低コストで小型にできるとともに、電力消費も押さえることができる。
【００５０】
上記実施形態（図１〜図２２）においては、ノーマルタイプの着脱式外部表示装置３００は電子カメラ１００のＬＣＤ２１と同じ画面サイズのＬＣＤ３２１を備えているが、着脱式外部表示装置が電子カメラ１００のＬＣＤ２１と同等な性能で画面サイズだけが大きなＬＣＤを備えるようにしてもよい。例えば図２６の着脱式外部表示装置４００の背面視に示すように、着脱式外部表示装置４００には電子カメラ１００のＬＣＤ２１の縦横２倍の表示画面の右下１／４の画面を除いた形状の表示画面形状を持ったＬＣＤ４２１と、電子カメラ１００に装着するためのコネクタ４１２とロック部材４１９が設けられる。この着脱式外部表示装置４００を電子カメラ１００に装着すると、図２７に示すようにＬＣＤ４２１にＬＣＤ２１がはまり込み、これによりＬＣＤ２１の表示画面サイズの縦横２倍の大きさの表示画面が構成され、この表示画面に画像が表示される。このようにすればコンパクトな構成で大画面の表示を行うことができる。
【００５１】
上記実施形態（図２６、図２７）においては、電子カメラ１００のＬＣＤ２１の表示画面サイズの縦横２倍の大きさの表示画面で画像を見ることができるが、画面の一部に隙間ができてしまうため、場合によってこの隙間が目障りになってしまう場合がある。このような場合には図２８、図２９に示すような着脱式外部表示装置５００を用いることができる。図２８は着脱式外部表示装置５００の正面視であって、電子カメラ１００のコネクタ１３に対応する不図示のコネクタ５１３を用いて電子カメラ１００を着脱式外部表示装置５００の前面に装着した場合を示している。図２８に示すように着脱式外部表示装置５００の前面左側には着脱式外部表示装置５００の筐体をホールドし易くするためのグリップ５１４が備えられる。着脱式外部表示装置５００の正面から見た右側面には画像データ保存用のメモリカードを装着するためのメモリカードスロット５３１と電池を収納するための電池スロット５３０が備えられる。
【００５２】
図２９に示すように、着脱式外部表示装置５００の背面のほぼ全面にはテキストおよび画像表示用の長方形の大画面（ＬＣＤ２１の画面サイズより大きい）を備えたＥＬ表示素子５２１が配置される。また電子カメラ１００との装着時に電子カメラ１００の背面にある操作キーが操作できなくなるので、この代わりに用いられる操作キーが着脱式外部表示装置５００背面の右上部に配置される。即ち電子カメラ１００の電源ＯＮ／ＯＦＦと動作モード（撮影モードと再生モード）の切換えのために操作されるダイヤル５１８と該ダイヤル５１８の切換え位置を示すドット５２０と再生画像の切換えに用いられる左方向ボタン５２５、右方向ボタン５２６が配置される。上面にはレリーズボタン５１６とコネクタ５１３のロック部材５１９が設けられ、該ロック部材５１９の押圧操作中のみ電子カメラ１００と着脱式外部表示装置５００との着脱が可能となる。また着脱式外部表示装置２００は電子カメラ１００に装着時にも電力供給を電子カメラ１００から受けずに、電池スロット２３０に収納した電池により電力を賄うとともに、単独使用時にはメモリカードスロット５３１に装着したメモリカードから画像データを読出し、ＥＬ表示素子５２１に表示することも可能である。
【００５３】
電子カメラ１００は着脱式外部表示装置５００が装着されたことを検知すると、電子カメラ１００にある操作キーの操作を無視し、着脱式外部表示装置５００側の操作キー（レリーズボタン５１６、ダイヤル５１８、左ボタン５２５、右ボタン５２６）の操作を有効とする。なお着脱式外部表示装置５００側の操作キーの状態は着脱式外部表示装置５００側に内蔵されたＣＰＵにより読み取られ、電子カメラ１００側のＣＰＵ５０に通信により送られる。このようにすれば、隙間のない大画面表示で画像を確認することができるとともに、薄型形状の電子カメラ１００は着脱式外部表示装置５００を前後に重ねて装着するため、着脱式外部表示装置５００の画面サイズの割にコンパクトな構成の装置とすることができる。また電子カメラ１００への着脱式外部表示装置５００の装着により使用できなくなる操作キーの代わりとなる操作キーを着脱式外部表示装置５００側に設け、装着時には該操作キーにより電子カメラ１００の操作を行うことができる。
【００５４】
上記実施形態（図１〜図２２）においては、電子カメラはＬＣＤ２１、高機能タイプの着脱式外部表示装置３００はＥＬ表示素子２２１を表示素子として用いているが、これ以外の表示素子の組み合わせであっても構わない。例えば撮影時のピント確認用途を目的とし電子カメラ１００側の表示素子を表示画素ピッチが細かくできる白黒液晶表示素子（ＬＣＤ）、閲覧用途を目的とし高機能タイプの着脱式外部表示装置３００の表示素子をカラー液晶表示素子（ＬＣＤ）としてもよい。また例えば省エネを考慮し電子カメラ１００側の表示素子を反射型ＬＣＤ（バックライトなし）、閲覧時の表示品質を考慮し高機能タイプの着脱式外部表示装置３００の表示素子を半透過型ＬＣＤ（バックライトあり）としてもよい。また例えば個人使用時のプライバシー性を考慮して電子カメラ１００側の表示素子を狭視野ＬＣＤ（視野角が比較的狭い）、複数ユーザの同時閲覧を考慮して高機能タイプの着脱式外部表示装置３００の表示素子を広視野ＬＣＤ（視野角が比較的広い）としてもよい。
【００５５】
上記実施形態（図１〜図２２）においては、電子カメラはＬＣＤ２１、高機能タイプの着脱式外部表示装置３００はＥＬ表示素子２２１を表示素子として用いているが、これ以外の表示素子の組み合わせであっても構わない。例えば高機能タイプの着脱式外部表示装置３００として、電源ＯＦＦの状態でも表示内容を保持できる電子ペーパと言われるメモリ表示素子（または不揮発性表示素子）を用いても良い。図３０および図３１は着脱式外部表示装置３００の表示部を構成するメモリ性表示素子の一例であって、いわゆるマイクロカプセル型電気泳動方式を採用したメモリ性表示素子の説明図である。メモリ性表示素子は、透明電極面を有する透明プレート４１と背面電極面を有する背面プレート４０の間に、負に帯電した黒色の粉末４３（カーボン粒子）、正に帯電した白色の粉末４４（酸化チタン粒子）を封入したマイクロカプセル４２を挟み込んだ構造となっており、透明プレート４１側から表示を観察するようになっている。図３０に示すように透明プレート４１側の透明電極面側に正、背面プレート４０の背面電極面側に負の電圧を印加すると、マイクロカプセル４２内の正に帯電した酸化チタン粒子４４が背面電極面に引き寄せられ、負に帯電したカーボン粒子４３が透明電極面に引き寄せられるので、透明プレート４１側からは、黒を表示した状態が観察される。反対に図３１に示すように透明プレート４１側の透明電極面側に負、背面プレート４０の背面電極面側に正の電圧を印加すると、マイクロカプセル４２内の正に帯電した酸化チタン粒子４４が透明電極面に引き寄せられ、負に帯電したカーボン粒子４３が背面電極面に引き寄せられるので、透明プレート４１側からは白を表示した状態が観察される。またマイクロカプセル４２内の酸化チタン粒子４４およびカーボン粒子４３は透明電極面および背面電極面への電圧印加を切ったあともそれぞれのプレート側に吸着しているために、電源ＯＮ時の表示状態が電源ＯＦＦ状態でも維持される。メモリ性表示素子としてはこの他に強誘電性液晶やコレステリック液晶や高分子分散型液晶を用いた表示素子、Ｘｅｒｏｘ社により開発されたツイスティングボール素子、キャノン社により開発されたＩｎ−Ｐｌａｎｅ型の電気泳動型表示素子等の不揮発性表示機能を備えた表示素子を使用することができる。このようなメモリ性表示素子を高機能タイプの着脱式外部表示装置３００の表示部として使用すれば、高機能タイプの着脱式外部表示装置３００の表示部に電源ＯＦＦ中に画像やデータを表示し続けることができるので、電子カメラ１００で最後に撮影した画像や撮影データなどを表示しておくことにより、撮影状況のメモ代わりとして使用することができる。
【００５６】
上記実施形態（図１〜図２２）においては、電子カメラ１００はコネクタ１１、１２、１３に着脱式外部表示装置を装着することができるが、コネクタ１１、１２、１３に着脱式外部表示装置以外の外部装置を装着しても構わない。例えば図３２は、電子カメラ１００に着脱式の外部通信装置（無線携帯電話等）６００を装着した例であり、このようにすれば電子カメラ１００で撮影した画像などを外部通信装置６００を介し、外部の画像サーバ等に即座に送信することができる。またコネクタ１１、１２、１３に電子カメラ１００の電源を強化するための補助電源装置や電子カメラ１００で撮影した画像を保存するための大記憶容量の補助記憶装置を装着するようにしてもいいし、複数のコネクタのそれぞれに種々の着脱式外部装置を同時に装着するようにしてもよい。このように複数のコネクタに種々の用途の外部装置を装着可能にしておくことにより、ユーザは撮影状況に応じて最適なシステムの撮影装置を効率良く構成することができる。また外部装置側の電源から電子カメラ側に電力を供給すれば、外部装置装着時に電子カメラ側の電源の電力消費を押さえることもできる。
【００５７】
上記実施形態（図１〜図２２）においては、着脱式外部表示装置はコネクタを介し電子カメラに装着可能になっているが、コネクタの機構（機械的構成、電気的構成）を統一することにより、着脱式外部表示装置を電子カメラ以外の電子機器に装着することもできる。例えば図３３に示すように、ＬＣＤ７２１を備える無線携帯電話７００に不図示のコネクタ７１２を設け、該コネクタ７１２と高機能タイプの着脱式外部表示装置２００のコネクタ２１２を結合することにより、無線携帯電話７００を単独で使用していた時にＬＣＤ７２１で表示していた画像を、外部表示装置２００を装着した場合には外部表示装置２００の表示画面２２１に表示させる。携帯電話以外でもＰＤＡや携帯型ゲーム機にも適用することができる。このようにすれば、低品質な表示しかできない電子機器でも、必要に応じて高品質な表示を行うことができる。また外部表示装置や補助電源や補助記憶装置を種々の電子機器で共用することができるので、ユーザは低コストで電子機器システムを構築できる。なお電子機器側のＣＰＵは装着された外部装置側のＣＰＵと交信することにより、装着された外部装置の機能や性能を認識し、認識結果に基づいて装着された外部装置に適した動作を行うことができる。
【００５８】
上記実施形態（図１〜図２２）においては、着脱式表示装置側の表示素子で静止画像を表示しているが、着脱式表示装置側での表示は静止画像に限定されることはなく、動画像であっても構わない。また着脱式表示装置側での表示は画像に限定されることはなく、テキスト情報や地図情報であっても構わない。またコネクタの構成は独自の仕様であってもいいし、既存のコネクタ（ＵＳＢ、ＩＥＥＥ１３９４など）の仕様であってもよい。
【００５９】
【発明の効果】以上説明したように、本発明による電子機器システム、電子機器および着脱式外部表示装置においては、高品質な表示が可能な着脱式の外部表示装置を電子機器本体に装着できるようにしたため、ユーザは通常の情報表示時には電子機器本体の利便性（小型、低コスト、低消費電力）を享受できるとともに、状況応じて着脱式の外部表示装置を電子機器本体に装着することにより、高品質な表示（大画面、高精細、高輝度、高コントラスト、高応答性など）で情報を見ることができる。
【００６０】
また本発明による電子機器システム、電子機器および着脱式外部表示装置においては、電子機器本体に内蔵されている表示手段と同等な表示が可能な着脱式の外部表示装置を電子機器本体に装着し、電子機器本体に内蔵された表示手段の表示画面と着脱式の外部表示装置の表示画面とにより１つの表示画面を構成し、該合成された表示画面に情報を表示するようにしたため、ユーザは通常の情報表示時には電子機器本体の利便性（小型、低コスト、低消費電力）を享受できるとともに、状況応じて着脱式の外部表示装置を電子機器本体に装着することにより、大画面で情報を見ることができる。
【図面の簡単な説明】
【図１】本発明の概念図である。
【図２】電子カメラの外観図（正面視）である。
【図３】電子カメラの外観図（背面視）である。
【図４】外部表示装置の外観図（正面視）である。
【図５】外部表示装置の外観図（背面視）である。
【図６】外部表示装置の外観図（正面視）である。
【図７】外部表示装置の外観図（背面視）である。
【図８】電子カメラと外部表示装置の装着時の外観図（正面視）である。
【図９】電子カメラと外部表示装置の装着時の外観図（背面視）である。
【図１０】電子カメラと外部表示装置の装着時の外観図（正面視）である。
【図１１】電子カメラと外部表示装置の装着時の外観図（背面視）である。
【図１２】電子カメラと外部表示装置の装着時の外観図（正面視）である。
【図１３】電子カメラと外部表示装置の装着時の外観図（背面視）である。
【図１４】電子カメラの電気構成を示すブロック図である。
【図１５】外部表示装置の電気構成を示すブロック図である。
【図１６】外部表示装置の電気構成を示すブロック図である。
【図１７】電子カメラのメインフローチャートである。
【図１８】電子カメラのサブルーチンのフローチャートである。
【図１９】電子カメラのサブルーチンのフローチャートである。
【図２０】電子カメラのサブルーチンのフローチャートである。
【図２１】外部表示装置のメインフローチャートである。
【図２２】外部表示装置のメインフローチャートである。
【図２３】電子カメラと外部表示装置の装着時の外観図（背面視）である。
【図２４】電子カメラと外部表示装置の装着時の外観図（背面視）である。
【図２５】電子カメラと外部表示装置の装着時の外観図（正面視）である。
【図２６】外部表示装置の外観図（背面視）である。
【図２７】電子カメラと外部表示装置の装着時の外観図（背面視）である。
【図２８】電子カメラと外部表示装置の装着時の外観図（正面視）である。
【図２９】電子カメラと外部表示装置の装着時の外観図（背面視）である。
【図３０】メモリ性表示部の説明図である。
【図３１】メモリ性表示部の説明図である。
【図３２】電子カメラと外部通信装置の装着時の外観図（正面視）である。
【図３３】携帯電話と外部表示装置の装着時の外観図（背面視）である。
【符号の説明】
１０　撮影レンズ
１１、１２、１３　コネクタ
１６　レリーズボタン
１８　ダイヤル
２１　ＬＣＤ
２５　左ボタン
２６　右ボタン
５０　ＣＰＵ
５５　ＣＣＤ
６３　メイン電池
７７　メモリカード
９２　画面制御回路
１００　電子カメラ
１０１　電子カメラ
２００　高機能タイプの着脱式外部表示装置
２２１　ＥＬ表示素子
３００　高機能タイプの着脱式外部表示装置
３２１　ＬＣＤ
４００　着脱式外部表示装置
５００　着脱式外部表示装置
６００　着脱式外部通信装置
７００　無線携帯電話
【図１】
2004045913.tif 000003
【図２】
2004045913.tif 000004
【図３】
2004045913.tif 000005
【図４】
2004045913.tif 000006
【図５】
2004045913.tif 000007
【図６】
2004045913.tif 000008
【図７】
2004045913.tif 000009
【図８】
2004045913.tif 000010
【図９】
2004045913.tif 000011
【図１０】
2004045913.tif 000012
【図１１】
2004045913.tif 000013
【図１２】
2004045913.tif 000014
【図１３】
2004045913.tif 000015
【図１４】
2004045913.tif 000016
【図１５】
2004045913.tif 000017
【図１６】
2004045913.tif 000018
【図１７】
2004045913.tif 000019
【図１８】
2004045913.tif 000020
【図１９】
2004045913.tif 000021
【図２０】
2004045913.tif 000022
【図２１】
2004045913.tif 000023
【図２２】
2004045913.tif 000024
【図２３】
2004045913.tif 000025
【図２４】
2004045913.tif 000026
【図２５】
2004045913.tif 000027
【図２６】
2004045913.tif 000028
【図２７】
2004045913.tif 000029
【図２８】
2004045913.tif 000030
【図２９】
2004045913.tif 000031
【図３０】
2004045913.tif 000032
【図３１】
2004045913.tif 000033
【図３２】
2004045913.tif 000034
【図３３】
2004045913.tif 000035